(57)【要約】      （修正有）【課題】特定の動力源を用いることなく使用することができると共に、水源に依存することなく安全な飲料水を簡便に製造することができる浄水装置であって、優れた耐衝撃特性を有する可搬型浄水装置を提供する。【解決手段】吸水ホース２と、ポンプ部４と、プレフィルタ部６と、主浄水部８と、出水管１０と、を備え、吸水ホース２はポンプ部４に接続され、ポンプ部４は配水ホース１２を介してプレフィルタ部６に接続され、プレフィルタ部６は配水ホース１２を介して主浄水部８に接続され、主浄水部８は出水管１０に接続され、プレフィルタ部６、主浄水部８、及びポンプ部４は、一体に構成された金属製アングル２０にそれぞれ固定され、金属製アングル２０が耐衝撃性を有するトランク型容器３０に収納されていること、を特徴とする可搬型浄水装置１。【選択図】図１
0003195452.tif 000002
【実用新案登録請求の範囲】
【請求項１】
一体に構成された金属製アングルと、前記アングル内に固定されているポンプ部、プレフィルタ部及び主浄水部と、を含む浄水機構、並びに、
前記浄水機構を収容する耐衝撃性を有するトランク型容器、
を備えること、
を特徴とする可搬型浄水装置。
【請求項２】
吸水ホースと、
ポンプ部と、
プレフィルタ部と、
主浄水部と、
出水管と、を備える浄水機構を含み、
前記吸水ホースは前記ポンプ部に接続され、
前記ポンプ部は配水ホースを介して前記プレフィルタ部に接続され、
前記プレフィルタ部は配水ホースを介して前記主浄水部に接続され、
前記主浄水部は前記出水管に接続され、
前記プレフィルタ部、前記主浄水部、及び前記ポンプ部は全て、一体に構成された金属製アングル内にそれぞれ固定され、
前記金属製アングルが耐衝撃性を有するトランク型容器に収納されていること、
を特徴とする可搬型浄水装置。
【請求項３】
前記ポンプ部がハンドダイアフラムポンプであること、
を特徴とする請求項１又は２に記載の可搬型浄水装置。
【請求項４】
前記トランク型容器が耐衝撃性樹脂製であること、
を特徴とする請求項１〜３のいずれかに記載の可搬型浄水装置。
【請求項５】
前記金属製アングルがステンレス鋼製であること、
を特徴とする請求項１〜４のいずれかに記載の可搬型浄水装置。
【考案の詳細な説明】
【技術分野】
【０００１】
本考案は、携帯可能な浄水装置に関し、より具体的には、災害時等においても好適に使用可能な可搬型浄水装置に関する。
【背景技術】
【０００２】
大規模震災等の発生時や野外においては飲料水の確保が非常に重要であり、これらの状況下でも使用可能な可搬型の浄水装置が提案されている。
【０００３】
例えば、特許文献１（特開平９−５７２４８号公報）においては、注水口と送水口を備えた貯水用容器、貯水用容器内に空気を圧入し加圧する加圧ポンプ、貯水用容器から送水された原水を浄化する濾過手段、貯水用容器の送水口と濾過手段とを接続する配水ホース、から構成された非常用簡易浄水器、が提案されている。
【０００４】
上記特許文献１に記載の非常用簡易浄水器においては、特定の動力源を必要とすることなく、簡易に比較的多量の飲用水を確保することのできる携帯容易な非常用簡易浄水器を提供することができる、としている。
【０００５】
また、特許文献２（特開２０１３−１２６６３０号公報）においては、開口を有する原水貯蔵容器と、原水貯蔵容器の開口を閉塞する少なくとも一層の蓋体と、原水貯蔵容器の開口を蓋体で閉塞することによって形成される原水貯蔵部と、原水貯蔵部を加圧する加圧手段と、原水貯蔵部に接続し、原水を浄化する浄化手段と、浄化手段が浄化した浄水を貯蔵する浄水貯蔵部と、浄水貯蔵部から浄水を吐水する吐水手段とを有することを特徴とする携帯型浄水器、が提案されている。
【０００６】
上記特許文献２に記載の携帯型浄水器においては、浄水を衛生的に貯蔵できるため、浄水が必要な時にすぐに供給することができると共に、予め浄化しておいた浄水が不足した場合にも、短時間で原水を浄水にすることができる、としている。
【先行技術文献】
【特許文献】
【０００７】
【特許文献１】特開平９−５７２４８号公報
【特許文献２】特開２０１３−１２６６３０号公報
【考案の概要】
【考案が解決しようとする課題】
【０００８】
しかしながら、上記特許文献１に記載の非常用簡易浄水器及び上記特許文献２に記載の携帯型浄水器は、耐衝撃特性に関して全く考慮されていない。災害発生時等における浄水器の運搬（例えば、空中からの投下による浄水器の供給）に関しては、浄水器に激しい衝撃が加わることが予想されるが、上記非常用簡易浄水器及び携帯型浄水器には当該衝撃への耐性が備わっていない。
【０００９】
これらの従来技術の問題点を鑑み、本考案の目的は、特定の動力源を用いることなく使用することができると共に、水源に依存することなく安全な飲料水を簡便に製造することができる浄水装置であって、優れた耐衝撃特性を有する可搬型浄水装置を提供することにある。
【課題を解決するための手段】
【００１０】
本考案者は上記目的を達成すべく、浄水装置の構成及び構造等について鋭意研究を重ねた結果、適切に選定した構成部品を固定した金属製アングルを、耐衝撃性を有するトランク型容器に収納することが極めて有効であることを見出し、本考案に到達した。
【００１１】
即ち、本考案は、
一体に構成された金属製アングルと、前記アングル内に固定されているポンプ部、プレフィルタ部及び主浄水部と、を含む浄水機構、並びに、
前記浄水機構を収容する耐衝撃性を有するトランク型容器、
を備えること、
を特徴とする可搬型浄水装置を提供する。
【００１２】
より具体的には、本考案は、
吸水ホースと、
ポンプ部と、
プレフィルタ部と、
主浄水部と、
出水管と、を備える浄水機構を含み、
前記吸水ホースは前記ポンプ部に接続され、
前記ポンプ部は配水ホースを介して前記プレフィルタ部に接続され、
前記プレフィルタ部は配水ホースを介して前記主浄水部に接続され、
前記主浄水部は前記出水管に接続され、
前記プレフィルタ部、前記主浄水部、及び前記ポンプ部は、一体に構成された金属製アングルにそれぞれ固定され、
前記金属製アングルが耐衝撃性を有するトランク型容器に収納されていること、
を特徴とする可搬型浄水装置を提供する。
【００１３】
本考案の可搬型浄水装置においては、吸水ホースの先端部を水源に挿入した状態でポンプ部を稼働させることで、被処理水がプレフィルタ部に取り込まれ、当該プレフィルタ部で水中の不純物が除去される。次に、主な不純物が除去された水は主浄水部に取り込まれ、後述の浄水用カートリッジを通過することによって安全な飲料水となった後に、出水管より吐水される。
【００１４】
また、本考案の可搬型浄水装置においては、一体に構成された金属製アングルに主要な構成部品が固定され、当該金属製アングルが耐衝撃性を有するトランク型容器に収納されている。ここで、金属製アングルはトランク型容器に強固に接続されていないことが好ましく、より具体的には、金属製アングルの形状及びサイズをトランク型容器収納部の形状及びサイズに合わせ、金属製アングルをトランク型容器の内部に収納した状態において、金属製アングルがトランク型容器の内壁によって機械的に固定されることが好ましい。可搬型浄水装置が当該構造を有することで、外部からの衝撃が印加された場合に当該衝撃がトランク型容器、金属製アングル、及びトランク型容器／金属製アングル界面で吸収され、主要な構成部品の損傷を効果的に防止することができる。
【００１５】
本考案の可搬型浄水装置に用いるトランク型容器には、本考案の効果を損なわない範囲で従来公知の種々のトランク型容器を用いることができるが、耐衝撃特性に優れた耐衝撃性樹脂（例えばコポリマーポリプロピレン）製のトランク型容器を用いることが好ましく、容器上部が開放できるものが好ましい。容器上部を開放することにより、吸水ホース、ポンプ部、及び出水管等を容易に取回すことができる。
【００１６】
また、本考案の可搬型浄水装置においては、前記主浄水部が、超微細孔濾過マトリックス体を有する浄水用カートリッジを備えていること、が好ましい。浄水用カートリッジは、超微孔による濾過作用をもつ平均０．１μｍ（最大０．４μｍ）のフィルタの微小透過粒方式に基づく超微孔濾過マトリックス体により構成されたもの（水中で腐敗が生じないタイプ）が好ましい。なお、当該タイプのフィルタとしては、米国のゼネラル・エコロジー社製の円柱状で筒の中央に浄化水が集まる通路を形成しているものを好適に使用することができる。
【００１７】
また、本考案の可搬型浄水装置においては、前記ポンプ部がハンドダイアフラムポンプであること、が好ましい。ハンドダイアフラムポンプは、ゴム、熱可塑性樹脂又はテフロン（登録商標）製ダイアフラムの往復運動と適当な逆止弁を組み合わせて流体を移送する手動のポンプであり、比較的小型であると共に優れた自吸能力を有していることから、可搬型浄水装置に好適に用いることができる。ここで、手動のポンプを用いることで、特定の動力源を用いることなく使用することができる。なお、不使用時はポンプ用ハンドルを取り外し、トランク型容器内に収容しておけばよい。
【００１８】
また、本考案の可搬型浄水装置においては、前記金属製アングルがステンレス鋼製であること、が好ましい。可搬型浄水装置は様々な環境で使用されることに加え、金属製アングルには優れた衝撃吸収性が求められるところ、ステンレス鋼材は十分な耐食性及び機械的特性（衝撃吸収性等）を兼備している。
【００１９】
更に、本考案の可搬型浄水装置においては、前記吸水ホースの先端に荒ゴミ除去フィルタが備わっていること、が好ましい。吸水ホースの先端に荒ゴミ除去フィルタが備わっていることで、河川や池等の水源に存在する種々のゴミが浄水装置の内部に取り込まれることを効率的に防止することができる。
【考案の効果】
【００２０】
本考案の可搬型浄水装置によれば、特定の動力源を用いることなく使用することができると共に、水源に依存することなく安全な飲料水を簡便に製造することができる浄水装置であって、優れた耐衝撃特性を有する可搬型浄水装置を提供することができる。
【図面の簡単な説明】
【００２１】
【図１】使用状態における本考案の可搬型浄水装置の一例を示す概略斜視図である。
【図２】収納状態における本考案の可搬型浄水装置の一例を示す概略斜視図である。
【図３】本考案の可搬型浄水装置において、トランク型容器の内部に収納する浄水機構の一例を示す概略斜視図である。
【考案を実施するための形態】
【００２２】
以下、図面を参照しながら本考案の可搬型浄水装置の代表的な実施形態について詳細に説明するが、本考案はこれらのみに限定されるものではない。なお、以下の説明では、同一または相当部分には同一符号を付し、重複する説明は省略する場合がある。また、図面は、本考案を概念的に説明するためのものであるから、表された各構成要素の寸法やそれらの比は実際のものとは異なる場合もある。
【００２３】
使用状態及び収納状態における本考案の可搬型浄水装置の概略斜視図を図１及び図２にそれぞれ示す。なお、通常、収納状態ではトランク型容器の上部は閉じられているが、図２においては内部の状況を示すために開放状態としている。
【００２４】
可搬型浄水装置１は、吸水ホース２と、ポンプ部４と、プレフィルタ部６と、主浄水部８と、出水管１０と、を備える浄水機構で構成されている。吸水ホース２はポンプ部４に接続され、ポンプ部４は配水ホース１２を介してプレフィルタ部６に接続され、プレフィルタ部６は配水ホース１２を介して主浄水部８に接続され、主浄水部８は出水管１０に接続されている。ここで、ポンプ部４とプレフィルタ部６、及びプレフィルタ部６と主浄水部８、をそれぞれ接続するために用いる部材（配水ホース１２）はホースに限られず、耐圧性を有する樹脂製や金属製の管を用いてもよい。
【００２５】
可搬型浄水装置１においては、吸水ホース２の先端部を水源に挿入した状態でポンプ部４を稼働させることで、被処理水がプレフィルタ部６に取り込まれ、プレフィルタ部６で水中の不純物が大まかに除去される。次に、主な不純物が除去された水は主浄水部８に取り込まれ、後述の浄水用カートリッジを通過することによって安全な飲料水となった後に、出水管１０より吐出される。
【００２６】
プレフィルタ部６、主浄水部８、及びポンプ部４は、一体に構成された金属製アングル２０にそれぞれ固定され、金属製アングル２０は耐衝撃性を有するトランク型容器３０に収納されている。プレフィルタ部６、主浄水部８、及びポンプ部４等が固定された金属製アングル２０の概略斜視図を図３に示す。プレフィルタ部６、主浄水部８、及びポンプ部４を金属製アングル２０に固定する方法は特に限定されず、金属製の線材及び／又は弾性体等を用いて、プレフィルタ部６、主浄水部８、及びポンプ部４を金属製アングル２０に強固に固定すればよい。
【００２７】
金属製アングル２０はステンレス鋼製であることが好ましい。可搬型浄水装置１は様々な環境で使用されることに加え、金属製アングル２０には優れた衝撃吸収性が求められるところ、ステンレス鋼材は十分な耐食性及び機械的特性（衝撃吸収性等）を兼備している。なお、ステンレス鋼製の棒材等をＴＩＧ溶接等によって接合することで、任意のアングル形状を形成することができる。
【００２８】
金属製アングル２０は、トランク型容器３０に強固に接続されていないことが好ましい。具体的には、金属製アングル２０の形状及びサイズをトランク型容器３０収納部の形状及びサイズに合わせ、金属製アングル２０をトランク型容器３０の内部に収納した状態において、金属製アングル２０がトランク型容器３０の内壁によって機械的に固定されることが好ましい。可搬型浄水装置１が当該構造を有することで、外部からの衝撃が印加された場合に、当該衝撃が、トランク型容器３０、金属製アングル２０、及びトランク型容器３０／金属製アングル２０界面で吸収され、主要な構成部品の損傷を効果的に防止することができる。
【００２９】
トランク型容器３０には、本考案の効果を損なわない範囲で従来公知の種々のトランク型容器を用いることができるが、耐衝撃特性に優れた耐衝撃性樹脂（コポリマーポリプロピレン）製のトランク型容器を用いることが好ましく、容器上部が開放できるものが好ましい。トランク型容器蓋体３２を開放することにより、図１に示すように、吸水ホース２、ポンプ部４、及び出水管１０等を容易に取回すことができる。
【００３０】
主浄水部８は、超微細孔濾過マトリックス体を有する浄水用カートリッジを備えていること、が好ましい。浄水用カートリッジは、超微孔による濾過作用をもつ平均０．１μｍ（最大０．４μｍ）のフィルタの微小透過粒方式に基づく超微孔濾過マトリックス体により構成されたもの（水中で腐敗が生じないタイプ）が好ましい。なお、当該タイプのフィルタとしては、米国のゼネラル・エコロジー社製の円柱状で筒の中央に浄化水が集まる通路を形成しているものを好適に使用することができ、より具体的にはゼネラル・エコロジー社製シーガルフォーを用いることができる。
【００３１】
ポンプ部４は、ハンドダイアフラムポンプであることが好ましい。ハンドダイアフラムポンプは、ゴム、熱可塑性樹脂又はテフロン製ダイアフラムの往復運動と適当な逆止弁を組み合わせて流体を移送する手動のポンプであり、比較的小型であると共に優れた自吸能力を有していることから、可搬型浄水装置１に好適に用いることができる。ここで、手動のポンプを用いることで、特定の動力源を用いることなく可搬型浄水装置１を使用することができる。なお、不使用時はポンプ用ハンドル４０を取り外し、トランク型容器３０内に収容しておけばよい。浄水用カートリッジを構成する超微孔濾過マトリックス体への水の導入は、ポンプ部４により水を押し込むことにより達成される。
【００３２】
可搬型浄水装置１は種々の水源に対して使用されるため、吸水ホース２の先端に荒ゴミ除去フィルタ５０が備わっていること、が好ましい。吸水ホース２の先端に荒ゴミ除去フィルタ５０が備わっていることで、河川や池等の水源に存在する種々のゴミがプレフィルタ部６及び主浄水部８等の可搬型浄水装置１の内部に取り込まれることを効率的に防止することができる。
【００３３】
主浄水部８の上流側にプレフィルタ部６を設置することで、主浄水部８の濾過能力を長時間維持することができる。プレフィルタ部６には、本考案の効果を損なわない範囲で従来公知の種々のフィルタを用いることができ、セラミックフィルタ、焼結フィルタ、不織布フィルタ、及び繊維チップ等を用いることができる。
【００３４】
可搬型浄水装置１は、主要部をトランク型容器３０の内部に収納した状態で使用することができるが（図１参照）、必要に応じて、プレフィルタ部６、主浄水部８、及びポンプ部４を固定した金属製アングル２０を含む浄水機構のみをトランク型容器３０から取り出して使用することもできる。浄水機構のみをトランク型容器３０から取り出して使用する場合、トランク型容器３０を用いて水を汲み取ることも可能であり、トランク型容器３０に汲み取った水を浄水して飲料水とすることができる。
【符号の説明】
【００３５】
１・・・可搬型浄水装置、
２・・・吸水ホース、
４・・・ポンプ部、
６・・・プレフィルタ部、
８・・・主浄水部、
１０・・・出水管、
１２・・・配水ホース、
２０・・・金属製アングル、
３０・・・トランク型容器、
３２・・・トランク型容器蓋体、
４０・・・ポンプ用ハンドル、
５０・・・荒ゴミ除去フィルタ。
【図１】
0003195452.tif 000003
【図２】
0003195452.tif 000004
【図３】
0003195452.tif 000005